(57)【要約】【課題】ツリー構造表示において部分的により詳細な情報が、より容易に確認できるようにする。【解決手段】第５表示制御部１０８は、第１表示制御部１０２により第１表示領域に表示しているツリー構造の中より、タスク情報得部１０４により取得された情報で識別されるタスクが含まれて、階層情報取得部１０７が取得した階層より下位のツリー構造を選択して第１表示領域に表示する。【選択図】  図１
2018185647.tif 000002
【特許請求の範囲】
【請求項１】
階層構造とされた複数のタスクからなるプロジェクト情報を記憶する記憶部と、
前記プロジェクト情報のタスクのタスク名を前記階層構造に対応させたツリー構造で表示部の第１表示領域に表示させるように構成された第１表示制御部と、
前記第１表示領域に表示された複数のタスク名の中からいずれかのタスク名を選択するための選択表示を前記表示部に移動可能に表示させるように構成された第２表示制御部と、
前記選択表示により前記第１表示領域の中で選択されたタスク名のタスクの情報を取得するように構成されたタスク情報取得部と、
前記タスク情報取得部により取得された情報で識別されるタスクへのツリー構造の中の経路情報を前記表示部の第２表示領域に表示させるように構成された第３表示制御部と、
前記第２表示領域に表示された経路情報の中から階層を選択するためのポインターを前記表示部に移動可能に表示させるように構成された第４表示制御部と、
前記ポインターにより選択された階層の情報を取得するように構成された階層情報取得部と、
前記第１表示制御部により前記第１表示領域に表示しているツリー構造の中より、前記タスク情報取得部により取得された情報で識別されるタスク名を含み、前記階層情報取得部が取得した階層より下位のツリー構造を選択して前記第１表示領域に表示するように構成された第５表示制御部と、
前記第１表示領域に表示されている前記ツリー構造の中のタスク名のタスクに付帯する付帯情報を前記表示部の第３表示領域に表示させるように構成された第６表示制御部と
を備えることを特徴とする表示装置。
【請求項２】
請求項１記載の表示装置において、
前記第１表示領域および前記第３表示領域は、前記表示部の水平方向に互いに隣接して表示され、前記第１表示領域は、前記第３表示領域の左側に配列されていることを特徴とする表示装置。
【請求項３】
請求項１または２記載の表示装置において、
前記第２表示領域は、前記第１表示領域の上側に隣接して配置されていることを特徴とする表示装置。
【請求項４】
請求項１〜３のいずれか１項に記載の表示装置において、
前記タスク情報取得部により取得された情報で識別されるタスクの内容を前記表示部の第４表示領域に表示するように構成された第７表示制御部を更に備えることを特徴とする表示装置。
【請求項５】
請求項４記載の表示装置において、
前記第３表示領域および前記第４表示領域は、前記表示部に水平方向に互いに隣接して表示され、前記第３表示領域は前記第４表示領域の左側に配列されていることを特徴とする表示装置。
【発明の詳細な説明】
【技術分野】
【０００１】
本発明は、表示装置に関し、特に、プロジェクト管理システムのタスクをツリー構造で表示する表示装置に関する。
【背景技術】
【０００２】
多数の要員や多数のタスクからなるプロジェクトを管理するプロジェクト管理システムがある。このシステムにおいては、プロジェクトで発生するタスクを一覧化したＷＢＳ（Work Breakdown Structure）などの構造図が用いられている（特許文献１参照）。ＷＢＳでは、プロジェクトの全体を、各々のタスクに細分化して階層化している。このＷＢＳによれば、タスクの漏れや重複が確認可能となり、プロジェクトの管理が容易になる。
【先行技術文献】
【特許文献】
【０００３】
【特許文献１】特開２０１０−０３３４２４号公報
【発明の概要】
【発明が解決しようとする課題】
【０００４】
ところで、ＷＢＳによる各タスクのツリー構造表示では、図５に示すように、プロジェクトの全体を示すものとなっている。しかしながら、このような表示では、多数のタスクが表示されるため、部分的により詳細な情報を確認することが容易ではないという問題がある。
【０００５】
本発明は、以上のような問題点を解消するためになされたものであり、ツリー構造表示において部分的により詳細な情報が、より容易に確認できるようにすることを目的とする。
【課題を解決するための手段】
【０００６】
本発明に係る表示装置は、階層構造とされた複数のタスクからなるプロジェクトを記憶する記憶部と、プロジェクトのタスクのタスク名を階層構造に対応させたツリー構造で表示部の第１表示領域に表示させるように構成された第１表示制御部と、第１表示領域に表示された複数のタスク名の中からいずれかのタスク名を選択するための選択表示を表示部に移動可能に表示させるように構成された第２表示制御部と、選択表示により第１表示領域の中で選択されたタスク名のタスクの情報を取得するように構成されたタスク情報取得部と、タスク情報取得部により取得された情報で識別されるタスクへのツリー構造の中の経路情報を表示部の第２表示領域に表示させるように構成された第３表示制御部と、第２表示領域に表示された経路情報の中から階層を選択するためのポインターを表示部に移動可能に表示させるように構成された第４表示制御部と、ポインターにより選択された階層の情報を取得するように構成された階層情報取得部と、第１表示制御部により第１表示領域に表示しているツリー構造の中より、タスク情報取得部により取得された情報で識別されるタスク名を含み、階層情報取得部が取得した階層より下位のツリー構造を選択して第１表示領域に表示するように構成された第５表示制御部と、第１表示領域に表示されているツリー構造の中のタスク名のタスクに付帯する付帯情報を表示部の第３表示領域に表示させるように構成された第６表示制御部とを備える。
【０００７】
上記表示装置において、第１表示領域および第３表示領域は、表示部の水平方向に互いに隣接して表示され、第１表示領域は、第３表示領域の左側に配置されている。
【０００８】
上記表示装置において、第２表示領域は、第１表示領域の上側に隣接して配置されている。
【０００９】
上記表示装置において、タスク情報取得部により取得された情報で識別されるタスクの内容を表示部の第４表示領域に表示するように構成された第７表示制御部を更に備える。
【００１０】
上記表示装置において、第３表示領域および第４表示領域は、表示部に水平方向に互いに隣接して表示され、第３表示領域は第４表示領域の左側に配置されている。
【発明の効果】
【００１１】
以上説明したように、本発明では、第１表示領域に表示しているツリー構造の中より、タスク情報取得部により取得された情報で識別されるタスクが含まれて、階層情報取得部が取得した階層より下位のツリー構造を選択して第１表示領域に表示するようにした。この結果、本発明によれば、ツリー構造表示において部分的により詳細な情報が、より容易に確認できるようになる。
【図面の簡単な説明】
【００１２】
【図１】図１は、本発明の実施の形態における表示装置の構成を示す構成図である。
【図２】図２は、本発明の実施の形態における表示装置の表示部１１０に表示される表示例を示す構成図である。
【図３】図３は、本発明の実施の形態における表示装置の表示部１１０に表示される表示例を示す構成図である。
【図４】図４は、本発明における表示装置のハードウエア構成を示す構成図である。
【図５】図５は、特許文献１に示されたプロジェクトを構成する各タスクのツリー構造表示を示す説明図である。
【発明を実施するための形態】
【００１３】
以下、本発明の実施の形態における表示装置ついて図１を参照して説明する。この表示装置は、記憶部１０１、第１表示制御部１０２、第２表示制御部１０３、タスク情報取得部１０４、第３表示制御部１０５、第４表示制御部１０６、階層情報取得部１０７、第５表示制御部１０８、第６表示制御部１０９、表示部１１０、入力部１１１を備える。
【００１４】
記憶部１０１は、階層構造とされた複数のタスクからなるプロジェクト情報を記憶する。記憶部１０１には、プロジェクトで発生するタスクを階層化した構造図によるプロジェクト情報が記憶されている（特許文献１参照）。記憶部１０１に記憶しているプロジェクト情報は、各タスクの階層構造に加え、タスク毎に、スケジュール、必要人員、コストなどの付帯情報、および担当者、プロセス名、作業内などのより詳細な情報を備えている。
【００１５】
第１表示制御部１０２は、プロジェクト情報のタスクのタスク名を階層構造に対応させたツリー構造で表示部１１０の第１表示領域に表示させる。第２表示制御部１０３は、第１表示領域に表示された複数のタスク名の中からいずれかのタスク名を選択するための選択表示を表示部１１０に移動可能に表示させる。
【００１６】
タスク情報取得部１０４は、入力された指示により移動された選択表示により、第１表示領域の中で選択されたタスク名のタスクの情報を、記憶部１０１および第１表示制御部１０２の制御情報より取得する。第３表示制御部１０５は、タスク情報取得部１０４により取得された情報で識別されるタスク（タスク名）へのツリー構造の中の経路情報を、表示部１１０の第２表示領域に表示させる。
【００１７】
第４表示制御部１０６は、第２表示領域に表示させた経路情報の中のいずれかの階層を選択するためのポインターを表示部１１０に移動可能に表示させる。階層情報取得部１０７は、上記ポインターにより選択された階層の情報を、例えば記憶部１０１より取得する。
【００１８】
第５表示制御部１０８は、第１表示制御部１０２により第１表示領域に表示しているツリー構造の中より、タスク情報取得部１０４により取得された情報で識別されるタスク（タスク名）を含み、階層情報取得部１０７が取得した階層より下位のツリー構造を選択して第１表示領域に表示する。
【００１９】
第６表示制御部１０９は、第１表示領域に表示されているツリー構造の中のタスク名のタスクに付帯する、例えばスケジュールなどの付帯情報を、記憶部１０１から取得して表示部１１０の第３表示領域に表示させる。
【００２０】
また、実施の形態における表示装置は、タスク情報取得部１０４により取得された情報で識別されるタスクの、担当者、プロセス名、作業内などのより詳細な内容を表示部１１０の第４表示領域に表示する第７表示制御部１１２を更に備える。
【００２１】
例えば、図２に示すように、第１表示領域１２１および第３表示領域１２３は、表示部１１０の水平方向に互いに隣接して表示され、第１表示領域１２１は、第３表示領域１２３の左側に配置されている。また、第２表示領域１２２は、第１表示領域１２１の上側に隣接して配置されている。また、第３表示領域１２３および第４表示領域１２４は、表示部１１０に水平方向に互いに隣接して表示され、第３表示領域１２３は、第４表示領域１２４の左側に配置されている。
【００２２】
図２に示すように、第１表示領域１２１に表示しているツリー構造の中のいずれかのタスクを選択するための選択表示１３１が、表示部１１０に表示される。例えば、入力部１１１は、マウスなどのポインティングデバイス（不図示）であり、この操作により、選択表示１３１を表示部１１０の中で移動させることができる。このような利用者の入力操作により、第１表示領域１２１の中で選択表示１３１を所望とするタスク表示の上に配置すると、タスク情報取得部１０４が、選択表示１３１が配置されているタスク表示の情報を、記憶部１０１および第１表示制御部１０２の制御情報より取得する。
【００２３】
このようにしてタスク情報取得部１０４が、選択されたタスク表示の情報を取得すると、第３表示制御部１０５が、取得された情報で識別されるタスクへのツリー構造の中の経路情報を表示部１１０の第２表示領域１２２に表示させる。図２に示す例では、第１表示領域１２１に表示されているツリー構造の第５階層におけるタスク名「第５回成果発表会」のタスクが選択されている。また、図２に示す例では、第２表示領域１２２に、「案件Ａ\新人教育\工程：成果発表\第５回成果発表\第５回成果発表会」のように、「\」で上位階層と下位階層とを連結した形式で、案件Ａの各タスク名がツリー構造で表示されている。
【００２４】
また、図２に示す例では、第３表示領域１２３に、第１表示領域１２１に表示されているツリー構造の中のタスクに付帯する付帯情報が表示されている。この例では、記憶部１０１に記憶されている各タスクのスケジュールが付帯情報として第３表示領域１２３に表示される。なお、第４表示領域１２４には、選択表示１３１で選択されたタスクについて、担当者、プロセス名、作業内容などの、記憶部１０１から取得されたタスクの詳細な内容が表示されている。
【００２５】
ここで、図２に示す例では、第１表示領域１２１に、案件Ａ、案件Ｂ、案件Ｃなどツリー構造全体が表示され、このため、第３表示領域１２３には、多くの付帯情報が表示されることになる。このため、個別のタスク毎など、部分的に情報を確認することが容易ではない。
【００２６】
上述した状態に対し、図３に示すように、ポインター１３２を用い、第２表示領域１２２に表示させた経路情報の中のいずれかの階層を選択すると、選択表示１３１で選択されたタスクが含まれ、かつ第１表示領域１２１に、ポインター１３２で選択された階層より下位のツリー構造が選択され、第１表示領域１２１に表示される。
【００２７】
例えば、入力部１１１は、マウスなどのポインティングデバイス（不図示）であり、この操作により、ポインター１３２を表示部１１０の中で移動させることができる。このような利用者の入力操作により、第２表示領域１２２の中で、ポインター１３２を所望とする階層の上に配置すると、階層情報取得部１０７が、ポインター１３２により選択された階層の情報を、記憶部１０１および第１表示制御部１０２の制御情報より取得する。
【００２８】
このようにして、階層情報取得部１０７が、階層の情報を取得すると、第５表示制御部１０８が、図３に示すように、選択表示１３１で選択されたタスクが含まれ、かつ第１表示領域１２１に、ポインター１３２で選択された階層より下位のツリー構造を選択し、第１表示領域１２１に表示する。
【００２９】
図３に示す例では、第１表示領域１２１に表示されているツリー構造の第５階層におけるタスク名「第５回成果発表会」のタスクが、選択表示１３１で選択されている。これに加え、図３に示す例では、第２表示領域１２２に表示されている経路情報の第１階層の「案件Ａ」が、ポインター１３２により選択されている。この結果、図３に示す例では、「案件Ａ」に含まれるタスクのツリー構造が、第１表示領域１２１に選択的に表示される。また、第２表示領域１２２には、「案件Ａ」に含まれるタスクの付帯情報（スケジュール）が、選択的に表示される。
【００３０】
このように、図３に示す例では、第１表示領域１２１および第３表示領域１２３に表示される情報量が削減されるようになる。
【００３１】
なお、上述した実施の形態における表示装置は、図４に示すように、ＣＰＵ（Central Processing Unit；中央演算処理装置）２０１と主記憶装置２０２と外部記憶装置２０３とネットワーク接続装置２０４となどを備えたコンピュータ機器であり、主記憶装置に展開されたプログラムによりＣＰＵが動作することで、上述した各機能が実現される。ネットワーク接続装置２０４は、ネットワーク２０５に接続する。また、各機能は、複数のコンピュータ機器に分散させるようにしてもよい。また、外部記憶装置２０３に情報（プロジェクト情報）が存在する場合、ネットワーク接続装置２０４やネットワークへの接続が無くてもよい。
【００３２】
以上に説明したように、本発明では、第１表示領域に表示しているツリー構造の中より、タスク情報取得部により取得された情報で識別されるタスクが含まれて、階層情報取得部が取得した階層より下位のツリー構造を選択して第１表示領域に表示するようにした。この結果、本発明によれば、表示される情報が削減され、ツリー構造表示において部分的により詳細な情報が、より容易に確認できるようになる。
【００３３】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００３４】
１０１…記憶部、１０２…第１表示制御部、１０３…第２表示制御部、１０４…タスク情報取得部、１０５…第３表示制御部、１０６…第４表示制御部、１０７…階層情報取得部、１０８…第５表示制御部、１０９…第６表示制御部、１１０…表示部、１１１…入力部、１１２…第７表示制御部。
【図１】
2018185647.tif 000003
【図２】
2018185647.tif 000004
【図３】
2018185647.tif 000005
【図４】
2018185647.tif 000006
【図５】
2018185647.tif 000007